【手続補正書】
【提出日】平成16年9月29日(2004.9.29)
【手続補正１】
【補正対象書類名】明細書
【補正対象項目名】発明の名称
【補正方法】変更
【補正の内容】
【発明の名称】画像処理サーバ及び印刷制御装置
【手続補正２】
【補正対象書類名】明細書
【補正対象項目名】特許請求の範囲
【補正方法】変更
【補正の内容】
【特許請求の範囲】
【請求項１】
受信した画像データを印刷データに変換するデータ変換処理部と、前記印刷データを送信する印刷データ送信部と、を有することを特徴とする画像処理サーバ。
【請求項２】
請求項1において、
更に、複数の印刷制御装置それぞれの固有の識別情報を記憶する記憶部と、
前記識別情報の中で、前記印刷制御装置からの前記固有の識別情報が有るか否かを判別する判別部と、を有し、
前記判別部にて、前記固有の識別情報が有ると判別されるときにのみ、前記印刷制御装置とデータの送受信を行うようになっていることを特徴とする画像処理サーバ。
【請求項３】
請求項１または２のいずれかにおいて、
更に、複数の印刷装置それぞれの固有の印刷情報を記憶する記憶部と、
前記印刷情報と印刷制御装置からの固有の印刷装置情報とを照合する照合部と、を有し、
前記印刷制御装置からの前記固有の印刷装置情報に対応する前記固有の印刷情報を用いて前記データ変換処理を行うようになっていることを特徴とする画像処理サーバ。
【請求項４】
請求項1〜３のいずれかにおいて、
前記受信した画像データの固有の識別情報に基づく画像データを受信し、
前記データ変換部では、受信した前記固有の識別情報に基づく画像データをデータ変換処理して前記印刷データを生成し、
前記印刷データ送信部では、生成された前記印刷データを前記印刷制御装置に送信するようになっていることを特徴する画像処理サーバ。
【請求項５】
請求項1〜３のいずれかにおいて、
前記受信した画像データの固有の識別情報に基づく画像データを受信し、
前記データ変換部では、前記受信した画像データをデータ変換処理して前記印刷データを生成し、
前記印刷データ送信部では、生成された前記印刷データを前記印刷制御装置に送信するようになっていることを特徴する画像処理サーバ。
【請求項６】
請求項1〜５のいずれかにおいて、
印刷制御装置の固有のアドレス情報に基づく前記印刷制御装置から固有の識別情報を受信して、記憶している複数の印刷制御装置の固有の識別情報のうちに前記受信した印刷制御装置の固有の識別情報が有るか否かを判別し、
前記受信した印刷制御装置の固有の識別情報が有ると判別した場合は、前記受信した画像データの固有の識別情報に基づく画像データを受信し、この画像データをデータ変換処理して生成される印刷データを前記印刷制御装置に送信してなることを特徴とする画像処理サーバ。
【請求項７】
画像処理サーバとのデータの送受信を制御する通信制御情報を前記画像処理サーバに送信する通信制御情報送信部と、
前記画像処理サーバから送信される印刷データを受信する印刷データ受信部と、を有することを特徴とする印刷制御装置
【請求項８】
請求項７において、
固有の識別情報を備え、前記固有の識別情報を送信可能とすることを特徴とする印刷制御装置。
【請求項９】
請求項７または８のいずれかにおいて、
通信可能な情報端末に入力される画像データを記憶する画像データ記憶手段を備えており、
前記情報端末に入力された画像データを印刷装置により印刷する際には、前記画像データ記憶手段に記憶される前記画像データを前記画像処理サーバに送信し、前記画像処理サーバから受信した印刷データを印刷装置に出力させることを特徴とする印刷制御装置。
【請求項１０】
請求項７〜９のいずれかにおいて、
通信可能な情報端末に入力される画像データを前記印刷装置により印刷する際には、前記情報端末から出力される印刷命令に基づいて、前記画像データの固有の識別情報を前記画像処理サーバに送信し、前記画像処理サーバから送信された印刷データを前記印刷装置に出力させることを特徴とする印刷制御装置。
【請求項１１】
請求項７または８のいずれかにおいて、
前記情報端末から出力される印刷命令に基づいて、前記画像処理サーバへの前記通信制御情報の送信を行う構成を有し、
前記画像データに、この画像データを印刷することを示す印刷指示コマンド表示用データを追加して前記情報端末に出力することを特徴とする印刷制御装置。
【手続補正３】
【補正対象書類名】明細書
【補正対象項目名】００１３
【補正方法】変更
【補正の内容】
【００１３】
上記課題を解決するために、本発明の画像処理サーバは、受信した画像データを印刷データに変換するデータ変換処理部と、前記印刷データを送信する印刷データ送信部と、を有することを特徴する。
【手続補正４】
【補正対象書類名】明細書
【補正対象項目名】００１８
【補正方法】変更
【補正の内容】
【００１８】
また、本発明の画像処理サーバーは、上記の構成に加えて、
更に、複数の印刷制御装置それぞれの固有の識別情報を記憶する記憶部と、
前記識別情報の中で、前記印刷制御装置からの前記固有の識別情報が有るか否かを判別する判別部と、を有し、
前記判別部にて、前記固有の識別情報が有ると判別されるときにのみ、前記印刷制御装置とデータの送受信を行うようになっていることを特徴とする。
【手続補正５】
【補正対象書類名】明細書
【補正対象項目名】００２１
【補正方法】変更
【補正の内容】
【００２１】
また、本発明の画像処理サーバは、上記のいずれかの構成に加えて、更に、複数の印刷装置それぞれの固有の印刷情報を記憶する記憶部と、
前記印刷情報と印刷制御装置からの固有の印刷装置情報とを照合する照合部と、を有し、
前記印刷制御装置からの前記固有の印刷装置情報に対応する前記固有の印刷情報を用いて前記データ変換処理を行うようになっていることを特徴とする。
【手続補正６】
【補正対象書類名】明細書
【補正対象項目名】００２５
【補正方法】変更
【補正の内容】
【００２５】
また、本発明の画像処理サーバは、上記のいずれかの構成に加えて、前記受信した画像データの固有の識別情報に基づく画像データを受信し、
前記データ変換部では、受信した前記固有の識別情報に基づく画像データをデータ変換処理して前記印刷データを生成し、
前記印刷データ送信部では、生成された前記印刷データを前記印刷制御装置に送信するようになっていることを特徴する。
【手続補正７】
【補正対象書類名】明細書
【補正対象項目名】００２６
【補正方法】削除
【補正の内容】
【手続補正８】
【補正対象書類名】明細書
【補正対象項目名】００２７
【補正方法】削除
【補正の内容】
【手続補正９】
【補正対象書類名】明細書
【補正対象項目名】００２８
【補正方法】変更
【補正の内容】
【００２８】
また、本発明の画像処理サーバは、上記のいずれかの構成に加えて、前記受信した画像データの固有の識別情報に基づく画像データを受信し、
前記データ変換部では、前記受信した画像データをデータ変換処理して前記印刷データを生成し、
前記印刷データ送信部では、生成された前記印刷データを前記印刷制御装置に送信するようになっていることを特徴する。
【手続補正１０】
【補正対象書類名】明細書
【補正対象項目名】００２９
【補正方法】削除
【補正の内容】
【手続補正１１】
【補正対象書類名】明細書
【補正対象項目名】００３０
【補正方法】削除
【補正の内容】
【手続補正１２】
【補正対象書類名】明細書
【補正対象項目名】００３２
【補正方法】変更
【補正の内容】
【００３２】
また、本発明の画像処理サーバは、上記のいずれかの構成に加えて、印刷制御装置の固有のアドレス情報に基づく前記印刷制御装置から固有の識別情報を受信して、記憶している複数の印刷制御装置の固有の識別情報のうちに前記受信した印刷制御装置の固有の識別情報が有るか否かを判別し、
前記受信した印刷制御装置の固有の識別情報が有ると判別した場合は、前記受信した画像データの固有の識別情報に基づく画像データを受信し、この画像データをデータ変換処理して生成される印刷データを前記印刷制御装置に送信してなることを特徴とする。
【手続補正１３】
【補正対象書類名】明細書
【補正対象項目名】００３３
【補正方法】削除
【補正の内容】
【手続補正１４】
【補正対象書類名】明細書
【補正対象項目名】００３４
【補正方法】変更
【補正の内容】
【００３４】
また、本発明の印刷制御装置は、画像処理サーバとのデータの送受信を制御する通信制御情報を前記画像処理サーバに送信する通信制御情報送信部と、
前記画像処理サーバから送信される印刷データを受信する印刷データ受信部と、を有することを特徴とする。
【手続補正１５】
【補正対象書類名】明細書
【補正対象項目名】００３５
【補正方法】削除
【補正の内容】
【手続補正１６】
【補正対象書類名】明細書
【補正対象項目名】００３６
【補正方法】削除
【補正の内容】
【手続補正１７】
【補正対象書類名】明細書
【補正対象項目名】００３７
【補正方法】削除
【補正の内容】
【手続補正１８】
【補正対象書類名】明細書
【補正対象項目名】００３８
【補正方法】変更
【補正の内容】
【００３８】
また、本発明の印刷制御装置は、上記の構成に加えて、固有の識別情報を備え、前記固有の識別情報を送信可能とすることを特徴とする。
【手続補正１９】
【補正対象書類名】明細書
【補正対象項目名】００３９
【補正方法】変更
【補正の内容】
【００３９】
また、本発明の印刷制御装置は、上記のいずれかの構成に加えて、通信可能な情報端末に入力される画像データを記憶する画像データ記憶手段を備えており、前記情報端末に入力された画像データを印刷装置により印刷する際には、前記画像データ記憶手段に記憶される前記画像データを前記画像処理サーバに送信し、前記画像処理サーバから受信した印刷データを印刷装置に出力させることを特徴とする。
【手続補正２０】
【補正対象書類名】明細書
【補正対象項目名】００４０
【補正方法】変更
【補正の内容】
【００４０】
また、本発明の印刷制御装置は、上記のいずれかの構成に加えて、通信可能な情報端末に入力される画像データを前記印刷装置により印刷する際には、前記情報端末から出力される印刷命令に基づいて、前記画像データの固有の識別情報を前記画像処理サーバに送信し、前記画像処理サーバから送信された印刷データを前記印刷装置に出力させることを特徴とする。
【手続補正２１】
【補正対象書類名】明細書
【補正対象項目名】００４１
【補正方法】変更
【補正の内容】
【００４１】
また、本発明の印刷制御装置は、上記のいずれかの構成に加えて、前記情報端末から出力される印刷命令に基づいて、前記画像処理サーバへの前記通信制御情報の送信を行う構成を有し、前記画像データに、この画像データを印刷することを示す印刷指示コマンド表示用データを追加して前記情報端末に出力することを特徴とする。
【手続補正２２】
【補正対象書類名】明細書
【補正対象項目名】００４２
【補正方法】削除
【補正の内容】
【手続補正２３】
【補正対象書類名】明細書
【補正対象項目名】００４３
【補正方法】削除
【補正の内容】
【手続補正２４】
【補正対象書類名】明細書
【補正対象項目名】００４４
【補正方法】削除
【補正の内容】
【手続補正２５】
【補正対象書類名】明細書
【補正対象項目名】００４５
【補正方法】削除
【補正の内容】
【手続補正２６】
【補正対象書類名】明細書
【補正対象項目名】００４６
【補正方法】削除
【補正の内容】